【手続補正書】
【提出日】平成16年5月11日(2004.5.11)
【手続補正１】
【補正対象書類名】明細書
【補正対象項目名】特許請求の範囲
【補正方法】変更
【補正の内容】
【特許請求の範囲】
【請求項１】
電源電位が与えられる電源ラインおよび接地電位が与えられる電源ラインからなる一対の電源レールと、
前記電源レール間の電源電圧を複数（Ｎ）に分割し、接地電位側から電源電位側の順に段階的に高くなる第１乃至第（Ｎ−１）の分圧電位を出力する電源分圧回路と、
前記第１乃至第（Ｎ−１）の分圧電位が対応して供給される（Ｎ−１）本の中間電源ラインと、
前記電源分圧回路による電圧分割数（Ｎ）と同数設けられ、それぞれ対応して第１チャネル乃至第Ｎチャネルの信号が入力し、それぞれ出力ブリッジ回路を有する第１乃至第ＮのＢＴＬアンプと、
前記第１乃至第ＮのＢＴＬアンプの各出力バイアス電位として、それぞれ対応して前記第１の分圧電位乃至電源電位より低く、かつ、接地電位乃至第（Ｎ−１）の分圧電位より高い中間電位を設定するバイアス設定回路と、
前記各ＢＴＬアンプに対応して設けられ、各ＢＴＬアンプの無信号入力時には、前記第１乃至第ＮのＢＴＬアンプの各出力ブリッジ回路を対応して前記第１の分圧電位乃至電源電位と接地電位乃至（Ｎ−１）の分圧電位との間の接続し、前記各ＢＴＬアンプの出力電圧のレベル増大に応じて対応する各出力段トランジスタの動作電源電圧が段階的に順次大きくなるように各出力ブリッジ回路の接続先の電圧を実質的に切り換えて前記電源レール間における出力ブリッジ回路の縦積み段数を段階的に順次大きくする切換回路と、
前記各ＢＴＬアンプの差動出力信号波形を対応するに入力信号波形と比例させ、各ＢＴＬアンプの瞬時差動利得を略一定に維持する回路
とを具備することを特徴とする電力増幅回路。
【請求項２】
前記切換回路は、対応するＢＴＬアンプの出力電圧のレベルが当該ＢＴＬアンプの出力ブリッジ回路に接続されている中間電源ラインを基準にした規定の閾値を超えた時に、閾値を超えた側の１段隣りの電位を持つ中間電源ラインあるいは電源レール用の電源ラインに前記ＢＴＬアンプの出力ブリッジ回路を実質的に接続することを特徴とする請求項１記載の電力増幅回路。
【請求項３】
前記切換回路は、対応するＢＴＬアンプの出力電圧を当該ＢＴＬアンプの出力ブリッジ回路に接続されている中間電源ラインの電圧と比較し、比較結果に応じて前記出力ブリッジ回路の実質的な接続先を選択するように切り換える差動回路が用いられていることを特徴とする請求項２記載の電力増幅回路。
【請求項４】
前記第１のＢＴＬアンプに対応する切換回路は、第１のＢＴＬアンプの出力ブリッジ回路における高電位側の出力段トランジスタの接続先を選択し、
前記第ＮのＢＴＬアンプに対応する切換回路は、第ＮのＢＴＬアンプの出力ブリッジ回路における低電位側の出力段トランジスタの接続先を選択し、
前記第２乃至第（Ｎ−１）のＢＴＬアンプにそれぞれ対応する各切換回路は、対応するＢＴＬアンプの出力ブリッジ回路における低電位側の出力段トランジスタおよび高電位側の出力段トランジスタそれぞれの接続先を選択する
ことを特徴とする請求項１乃至３のいずれか１項に記載の電力増幅回路。
【請求項５】
前記各ＢＴＬアンプの出力ブリッジ回路における低電位側の出力段トランジスタあるいは高電位側の出力段トランジスタは、前記中間電源ラインあるいは電源レール用の電源ラインを含む複数の電源ラインに対応して接続された複数個の出力段トランジスタを有し、
前記切換回路は、それぞれ対応するＢＴＬアンプの出力電圧を当該ＢＴＬアンプの出力段トランジスタに接続されている中間電源ラインの電圧と比較し、比較結果に応じて前記複数個の出力段トランジスタのうちの特定の出力段トランジスタを選択して前段回路から入力する駆動信号を供給するように切り換える差動回路が用いられていることを特徴とする請求項４記載の電力増幅回路。
【請求項６】
前記中間電源ラインと接地電位が与えられる電源ラインとの間に接続された低周波信号側路用のコンデンサをさらに具備することを特徴とする請求項１乃至５のいずれか１項に記載の電力増幅回路。
【請求項７】
前記電源分圧回路は、前記電源レール間の電源電位を均等に分割することを特徴とする請求項１乃至６のいずれか１項に記載の電力増幅回路。
【請求項８】
前記電源分圧回路は、前記各ＢＴＬアンプの平均出力電力に応じて動作電源電圧を配分するように前記電源レール間の電源電位を非線形に分割することを特徴とする請求項１乃至６のいずれか１項に記載の電力増幅回路。
【請求項９】
前記電源分圧回路は、
前記電源レール間に複数個の抵抗素子が直列に接続された抵抗分圧回路と、
前記抵抗分圧回路の（Ｎ−１）個の分圧ノードから対応してバイアスが与えられ、各出力ノードに対応して前記（Ｎ−１）本の中間電源ラインが接続されるプッシュプル型の（Ｎ−１）個のエミッタフォロワ回路とからなり、
各エミッタフォロワ回路は、それぞれ対応して接続されている中間電源ラインの電位より１段上下の実質的な電源レール間に接続されていることを特徴とする請求項７または８記載の電力増幅回路。
【請求項１０】
前記中間電源ラインが１本、前記ＢＴＬアンプが２個であることを特徴とする請求項１乃至９のいずれか１項に記載の電力増幅回路。
【請求項１１】
電源電位が与えられる第１の電源ラインと、
接地電位が与えられる第２の電源ラインと、
前記電源電位と前記接地電位との間の電位が与えられる第３の電源ラインと、
前記第２の電源ラインと前記第３の電源ラインとの間に接続された第１および第２の出力ブリッジ回路を有し、前記第１の出力ブリッジ回路は一端が前記第２の電源ラインに接続された第１のトランジスタと一端が前記第１のトランジスタの他端に接続された第２のトランジスタとを有し、前記第２の出力ブリッジ回路は一端が前記第２の電源ラインに接続された第３のトランジスタと一端が前記第３のトランジスタの他端に接続された第４のトランジスタとを有する第１のＢＴＬアンプと、
前記第１の電源ラインと前記第３の電源ラインとの間に接続された第３および第４の出力ブリッジ回路を有し、前記第３の出力ブリッジ回路は一端が前記第１の電源ラインに接続された第５のトランジスタと一端が前記第５のトランジスタの他端に接続された第６のトランジスタとを有し、前記第４の出力ブリッジ回路は一端が前記第１の電源ラインに接続された第７のトランジスタと一端が前記第７のトランジスタの他端に接続された第８のトランジスタとを有する第２のＢＴＬアンプと、
前記第２のトランジスタの他端を前記第１の電源ラインまたは前記第３の電源ラインに切り換える第１の切換回路と、
前記第４のトランジスタの他端を前記第１の電源ラインまたは前記第３の電源ラインに切り換える第２の切換回路と、
前記第６のトランジスタの他端を前記第２の電源ラインまたは前記第３の電源ラインに切り換える第３の切換回路と、
前記第８のトランジスタの他端を前記第２の電源ラインまたは前記第３の電源ラインに切り換える第４の切換回路
とを具備することを特徴とする電力増幅回路。
【手続補正２】
【補正対象書類名】明細書
【補正対象項目名】０１３６
【補正方法】変更
【補正の内容】
【０１３６】
この場合、切換回路ＳＷは、各ＢＴＬアンプの無信号入力時には第１のＢＴＬアンプ１１１乃至第ＮのＢＴＬアンプ１１Ｎの各出力ブリッジ回路を対応して前記第１の分圧電位と接地電位との間の中間電位〜第（Ｎ−１）の分圧電位との間の中間電位に接続する。
【手続補正３】
【補正対象書類名】図面
【補正対象項目名】図１
【補正方法】変更
【補正の内容】
【図１】
1999284450.tif 000001